(57)【要約】      （修正有）【課題】建造物の中に設置し、地震が発生すると人体を保護することができる安全防護装置を提供する。【解決手段】所定の収容空間１１７を内側に画成するメインフレーム１１と、両端部１３４がそれぞれメインフレーム１１に接続されていると共に、該両端部１３４の間にある中間部１３３がメインフレーム１１から離れるように外側へアーチ状に隆起するアーチフレームユニット（１３ａ、１３ｂ）を複数有している保護フレーム（１０ａ、１０ｂ、１０ｃ）と、を備えている。【選択図】図２
0003219774.tif 000002
【実用新案登録請求の範囲】
【請求項１】
所定の収容空間を内側に画成するメインフレームと、
両端部がそれぞれ前記メインフレームに接続されていると共に、該両端部の間にある中間部が前記メインフレームから離れるように外側へアーチ状に隆起するアーチフレームユニットを複数有している保護フレームと、を備えていることを特徴とする安全防護装置。
【請求項２】
略垂直に延伸する少なくとも１つの支持部と、前記支持部の上端に連結されている上枠部と、を有し、該支持部と上枠部との間に収容空間が画成されるメインフレームと、
両端部がそれぞれ前記上枠部に接続されていると共に、該両端部の間にある中間部が上方へアーチ状に隆起する上アーチフレームユニットを複数有している保護フレームと、を備えていることを特徴とする安全防護装置。
【請求項３】
前記保護フレームが有する各前記上アーチフレームユニットは、それぞれの中間部が重なるように放射状に配列されて該保護フレーム全体が略ドーム状になっており、
更に、前記収容空間を覆うように、前記メインフレーム及び前記保護フレームに取り付けられているカバーシートを備えていることを特徴とする請求項２に記載の安全防護装置。
【請求項４】
前記メインフレームは、前記支持部の下端に連結されている下枠部と、放射状に配列されている前記複数の上アーチフレームユニットが互いに重なる前記中間部と、前記下枠部とに、両端がそれぞれ当接するように略垂直に延伸するセンターポールと、を更に有しており、
前記収容空間は、前記支持部と前記上枠部と前記下枠部との間に画成されていることを特徴とする請求項３に記載の安全防護装置。
【請求項５】
少なくとも１つの前記保護フレームは、両端部がそれぞれ前記支持部に接続されていると共に、該両端部の間にある中間部が水平方向の外側へアーチ状に隆起する側アーチフレームユニットを複数有していることを特徴とする請求項２〜請求項４のいずれか１項に記載の安全防護装置。
【考案の詳細な説明】
【技術分野】
【０００１】
本考案は安全防護装置に関し、特に地震に伴う建造物倒壊などの危険から人を保護することができる安全防護装置に関する。
【背景技術】
【０００２】
近年、世界各地で巨大地震が頻発している。地震が起こると、場合によって建造物が倒壊し、室内で人が圧死する危険がある。そのため、地震に伴う建物の倒壊から人を保護するために、建造物の中に各種の安全防護装置を設置することが注目されつつある。
図１に示されるように、特許文献１に記載さた従来の安全防護装置９は、底面部９１と、底面部９１との間に避難空間９４が画成される板状の天面部９２と、底面部９１と天面部９２との間に天面部９２を支えるように配置され、水平方向における断面がＨ字形状の鋼からなる複数の支持部９３と、を備えている立体状の構造物である。また、従来の安全防護装置９は、断面Ｈ字形状の鋼からなる複数の支持部９３を用いて、該従来の安全防護装置９の構造を強化することができ、地震発生時に上から落下する屋根等の重量物に対する耐圧性を増加させることができる。
よって、地震が発生しても従来の安全防護装置９の避難空間９４内に逃げ込むことによって、避難する人を保護することができる。
【先行技術文献】
【特許文献】
【０００３】
【特許文献１】台湾実用新案登録第３２３６８０号明細書
【考案の概要】
【考案が解決しようとする課題】
【０００４】
しかしながら、上記のように、従来の安全防護装置は、断面がＨ字形状の鋼からなる複数の支持部を用いて装置全体の耐圧性を増加させることができるが、地震による落下物からの衝撃を受けると、板状の天面部が瞬間的な衝撃を受けて耐衝撃性が不足する可能性があり、避難する人を収容するための避難空間が変形してしまう危険性がある。そのため、従来の安全防護装置の構造の設計にはなおも改善の余地がある。
よって、本考案は上記問題点に鑑みて、上記欠点を解決できる安全防護装置を提供することを目的とする。
【課題を解決するための手段】
【０００５】
上記目的を達成すべく、本考案は以下の安全防護装置を提供する。
即ち、所定の収容空間を内側に画成するメインフレームと、両端部がそれぞれ前記メインフレームに接続されていると共に、該両端部の間にある中間部がメインフレームから離れるように外側へアーチ状に隆起するアーチフレームユニットを複数有している保護フレームと、を備える。
また本考案は、以下の安全保護装置を提供する。
即ち、略垂直に延伸する少なくとも１つの支持部と、前記支持部の上端に連結されている上枠部と、を有し、該支持部と上枠部との間に収容空間が画成されるメインフレームと、  両端部がそれぞれ前記上枠部に接続されていると共に、該両端部の間にある中間部が上方へアーチ状に隆起する上アーチフレームユニットを複数有している保護フレームと、を備える。
【考案の効果】
【０００６】
上記構成によれば、本考案の安全防護装置は、収容空間を内側に画成するメインフレームの上側にアーチ状に隆起するアーチフレームユニットを複数有している保護フレームを設けることによって、地震による落下物からの衝撃を緩和することができると共に、メインフレームが損壊する可能性が低くなっている。
また、メインフレームの水平方向の外側に設けられた保護フレームは、メインフレームの上側に設けられた保護フレームが受けた衝撃を分散に吸収し、避難する人を収容保護するためのメインフレームの収容空間が変形することを防止することができる。そのため、避難する人の命の安全を確保することができる。
【図面の簡単な説明】
【０００７】
【図１】従来の安全防護装置が示される斜視図である。
【図２】本考案に係る安全防護装置の第１の実施形態が示される斜視図である。
【図３】該第１の実施形態の安全防護装置を説明する分解斜視図である。
【図４】該第１の実施形態の安全防護装置は、カバーシートユニットと、ファスナーユニットと、を有することを説明する模式的斜視図である。
【図５】本考案に係る安全防護装置の第２の実施形態が示される斜視図である。
【考案を実施するための形態】
【０００８】
図２〜図４を参照して本考案の第１の実施形態を説明する。ここで、図２は本考案に係る安全防護装置１の第１の実施形態が示される斜視図であり、図３は該第１の実施形態の安全防護装置１を説明する分解斜視図であり、また、図４は該第１の実施形態の安全防護装置１は、カバーシートユニット２０とファスナーユニット３０とを有することを説明する模式的斜視図である。
図２と図３に示されるように、本考案に係る安全防護装置１は、地震発生時に人が避難する収容空間１１７を内側に画成するメインフレーム１１と、少なくとも１つ（この実施形態では５つ）の保護フレーム１０と、を備えている。
保護フレーム１０は、両端部１３４がそれぞれメインフレーム１１に接続されていると共に、該両端部１３４の間にある中間部１３３がメインフレーム１１から離れるように外側へアーチ状に隆起するアーチフレームユニットを複数有している。また、保護フレーム１０は、メインフレーム１１に取り付けられても一体成形されても良い。
本実施形態では、メインフレーム１１と、保護フレーム１０とは、ステンレス鋼からなっている。勿論、ここでこれらの材質はステンレス鋼に限定されず、他の鋼材も適用可能である。更に、アーチ状に隆起するアーチフレームユニットは、図２〜図４に示されるような半円形アーチに限らず、例えば、馬蹄形アーチ、尖頭形アーチ、オジーアーチなどであることができる。すなわち、各アーチフレームユニットの形状に関しては、完全なアーチ状に形成される必要はなく、力学的に構造強化効果が得られる各種のアーチ形状または擬似アーチ形状から選択して適用することも可能である。
メインフレーム１１は、略垂直に延伸する少なくとも１つの支持部１１３と、前記支持部１１３の上端に連結されている上枠部１１２と、を有し、該支持部１１３と上枠部１１２との間に収容空間１１７が画成されている。
本実施形態では、メインフレーム１１は、長方体である。勿論、ここで長方体に限定されず、例えば、三角柱体、菱形柱体、五角柱体、六角柱体、八角柱体といった多辺形柱体あるいは円柱体、楕円柱体、半円柱体、半楕円柱体といった曲線形柱体でも良い。
また、本実施形態では、各保護フレーム１０としては、メインフレーム１１の上端に取り付けられる上保護フレーム１０ａと、メインフレーム１１の側端に取り付けられる側保護フレーム１０ｂと、メインフレーム１１の下端に取り付けられる下保護フレーム１０ｃの３種類が用いられている。
上保護フレーム１０ａは、両端部１３４がそれぞれ上枠部１１２に接続されていると共に、該両端部１３４の間にある中間部１３３が上方へアーチ状に隆起する上アーチフレームユニット１３ａを複数有している。
更に、上保護フレーム１０ａが有する各上アーチフレームユニット１３は、それぞれの中間部１３３が重なるように放射状に配列されて該保護フレーム１０全体が略ドーム状になっている。
このような略ドーム状の上アーチフレームユニット１３を複数有する上保護フレーム１０ａによって、地震による落下物からの衝撃を緩和させることができると共に、人が避難する収容空間１１７を有するメインフレーム１１が破壊される可能性を低減することができる。
また、側保護フレーム１０ｂは、両端部１３４がそれぞれ支持部１１３に接続されていると共に、該両端部１３４の間にある中間部１３３が水平方向の外側へアーチ状に隆起する側アーチフレームユニット１３ｂを複数有している。
このような略ドーム状の側アーチフレームユニット１３ｂを複数有する保護フレーム１０によって、メインフレーム１１の上枠部１１２に設けられた上アーチフレームユニット１３を複数有する保護フレームが受けた衝撃を分散して吸収することができ、安全防護装置１の構造を強化させることができる。
また、メインフレーム１１には、上枠部１１２及び下枠部１１１に接続するように配置され、メインフレーム１１の構造を強化する強化部１１４と、隣り合う２つの支持部１１３に接続するように配置される連結部１１５と、を有している。
そして、本実施形態に係る安全防護装置１は、装置全体の衝撃吸収性能を一層向上させるために、下保護フレーム１０ｃを更に備えている。下保護フレーム１０ｃは、収容空間１１７の内に配置され、両端部１３４がそれぞれ強化部１１４及び連結部１１５に接続されていると共に、該両端部１３４の間にある中間部１３３が下方へアーチ状に隆起する下アーチフレームユニット１３ｃを複数有している。
また、メインフレーム１１は、支持部１１３の下端に連結されている下枠部１１１と、放射状に配列されている複数の上アーチフレームユニット１３が互いに重なる中間部１３３と、下枠部１１１とに、両端がそれぞれ当接するように略垂直に延伸するセンターポール１１６と、を更に有している。そして、収容空間１１７は、支持部１１３と上枠部１１２と前記下枠部１１１との間に画成されている。
図４に示されるように、本実施形態に係る安全防護装置１は、収容空間１１７を覆うように、メインフレーム１１及び保護フレーム（上保護フレーム）１０に取り付けられているカバーシートユニット２０と、カバーシートユニット２０をメインフレーム１１及び保護フレーム１０に固定させるファスナーユニット３０と、を更に備えている。
本実施形態では、該カバーシートユニット２０は、地震の発生に伴って、火災が引き起こされる可能性があるため、防火シートを採用することができる。そして、該ファスナーユニット３０は、例えば、結束バンド、ベルクロ（登録商標）テープなどである。
図５を参照して本考案の第２の実施形態を説明する。ここで、図５は本考案に係る安全防護装置１の第２の実施形態が示される斜視図である。
本考案に係る安全防護装置１の第２の実施形態は、第１の実施形態と多くの構成が共通するが、第１の実施形態に係る安全防護装置１を簡単化及び小型化するように存在している。
本実施形態に係る安全防護装置１は、地震発生時に人が避難する収容空間１１７を内側に画成するメインフレーム１１と、両端部１３４がそれぞれ上枠部１１２に接続されていると共に、該両端部１３４の間にある中間部１３３が上方へアーチ状に隆起する上アーチフレームユニット１３ａを複数有している１つの上保護フレーム１０ａと、を備えている。
また、収容空間１１７は、支持部１１３と上枠部１１２と下枠部１１１との間に画成されている。該下枠部１１１には、安全防護装置１の構造強度を向上させるために、互いに交差する２つのポールからなる交差部１１８が配置されている。
なお、本実施形態に係る安全防護装置１のメインフレーム１１は、支持部１１３の下端に連結されている下枠部１１１に配置される交差部１１８と、放射状に配列されている複数のアーチフレームユニットが互いに重なる中間部１３３とに、両端がそれぞれ当接するように略垂直に延伸するセンターポール１１６と、を更に有している。
総括すると、本考案に係る安全防護装置１は、収容空間１１７を内側に画成するメインフレーム１１の外側にアーチ状に隆起するアーチフレームユニットを複数有している保護フレーム１０を設けることによって、メインフレーム１１が変形及び損壊されてしまう可能性を低くすることができる。
更に、本考案に係る安全防護装置１のサイズは、ニーズに応じて調整することができる。たとえ１人が避難しても、ドーム状の上アーチフレームユニット１３ａを複数有している上、保護フレーム１０ａを設置すれば、地震による落下物からの衝撃を緩和することができる。そのため、本考案に係る安全防護装置１は、簡単に壊れたり破損したりせず、人を保護することができる。
【産業上の利用可能性】
【０００９】
上記のように記載された構成によって、本考案に係る安全防護装置１は、メインフレーム１１の上枠部１１２に上アーチフレームユニット１３ａを複数有している保護フレーム１０を用いて、地震発生時に落下する重量物からの衝撃を緩和することができる。
また、メインフレーム１１の水平方向の外側に設けられた側アーチフレームユニット１３ｂを複数有している保護フレーム１３によって、上アーチフレームユニット１３を複数有している保護フレーム１０が受けた衝撃を分散吸収し、安全防護装置１の構造強度を向上させることができる。
そのため、避難する人が怪我をしたり圧死する可能性を大いに低減することができる。
【符号の説明】
【００１０】
１  安全防護装置
１０  保護フレーム
１０ａ  上保護フレーム
１０ｂ  側保護フレーム
１０ｃ  下保護フレーム
１１  メインフレーム
１１１  下枠部
１１２  上枠部
１１３  支持部
１１４  強化部
１１５  連結部
１１６  センターポール
１１７  収容空間
１１８  交差部
１３ａ  上アーチフレームユニット
１３ｂ  側アーチフレームユニット
１３３  中間部
１３４  両端部
２０  カバーシートユニット
３０  ファスナーユニット
９  従来の安全防護装置
９１  底面部
９２  天面部
９３  支持部
９４  避難空間
【図１】
0003219774.tif 000003
【図２】
0003219774.tif 000004
【図３】
0003219774.tif 000005
【図４】
0003219774.tif 000006
【図５】
0003219774.tif 000007